(57)【要約】  布地物品、特に衣類、亜麻布及びカーテンのような物品を処理するための組成物であって、該組成物は、特に抗微生物剤を提供しながら、布地物品の改善された汚れ洗浄及び／又はケア及び／又は処理をもたらす。
2007521408.tif 000002
【特許請求の範囲】
【請求項１】
ａ）親油性流体を使用する非水性洗濯プロセスによって布地物品を洗濯すること、
ｂ）前記非水性洗濯プロセスに抗微生物剤を導入すること、
ｃ）前記抗微生物剤を用いて微生物の効力を低下させること、及び
ｄ）所望により、洗浄組成物から微生物を除去すること
を含む、非水性洗濯プロセスにおいて微生物を処理する方法。
【請求項２】
前記親油性流体が、シロキサン、その他のシリコーン、炭化水素、グリコールエーテル、グリセリンエーテルなどのグリセリン誘導体、ペルフルオロアミン、ペルフルオロ化及びハイドロフルオロエーテル溶媒、低揮発性非フッ化有機溶媒、ジオール溶媒、並びにこれらの混合物から選択される、請求項１の方法。
【請求項３】
前記親油性流体が、デカメチル−シクロペンタシロキサンである、請求項１又は２に記載の方法。
【請求項４】
前記抗微生物剤が、前記布地物品処理組成物の０．０１重量％〜２０重量％含まれる、請求項１〜３のいずれか１項に記載の方法。
【請求項５】
前記抗微生物剤が、フェニルフェノール；ブロモニトロプロパンジオール（ブロノポール）；トリス（ヒドロキシメチル）ニトロメタン；シリコーン第四級アンモニウム塩（オクタデシルアミノジメチルトリメトキシシリルプロピルアンモニウムクロリド）；銀ゼオライト；２−（４−チアゾリル）ベンゾイミダゾール；ヒノキチオール；プロペンニトリル；トリクロサン（２，４，４’−トリクロロ−２’ヒドロキシジフェニルエーテル）；シクロプロピル−Ｎ’−（１，１−ジメチルエチル）−６−（メチルチオ）−１，３，５−トリアジン−２，４−ジアミン；酸化亜鉛；ベンゾイミダゾール；２−（４−チアゾリル）−２，６−ジメチル−１，３−ジオキサン−４−オールアセテート、１−アザ−３，７−ジオキサ−５−エチル−ビシクロ−（３，３，０）−オクタン、２−ブロモ−２−ニトロ−１，３−プロパンジオール；２−（ヒドロキシメチル）−２−ニトロ−１，３−プロパンジオール、プロパンジアミド；２，２−ジブロモー２，４，４’−トリクロロ−２−ヒドロキシジフェニルエーテル；４，４’−ジクロロ−２−ヒドロキシジフェニルエーテル；テトラキス（ヒドロキシメチル）ホスホニウムサルフェート；ホルムアルデヒド、オゾン、及びこれらの混合物から選択される抗微生物剤を含む、請求項１〜４のいずれか１項に記載の方法。
【請求項６】
前記抗微生物剤が、前記親油性流体に粒子の形態で送達される、請求項１〜６のいずれか１項に記載の方法。
【請求項７】
前記抗微生物剤が、フィルタと共に使用される、請求項１〜６のいずれか１項に記載の方法。
【請求項８】
前記抗微生物剤を親油性流体と接触させる、請求項１〜７のいずれか１項に記載の方法。
【請求項９】
前記抗微生物剤が、蒸気相中にある、請求項１〜８のいずれか１項に記載の方法。
【請求項１０】
前記抗微生物剤を前記布地物品に直接接触させる、請求項１〜９のいずれか１項に記載の方法。
【発明の詳細な説明】
【技術分野】
【０００１】
本発明は、布地物品、特に衣類、亜麻布及びカーテンの物品を処理するための洗濯装置に抗微生物剤を施すための方法に関し、該抗微生物剤は布地物品の改善された洗浄及び／又はケア及び／又は処理をもたらす。
【背景技術】
【０００２】
布地物品の洗浄に関して、消費者には現在、従来の洗濯洗浄か又はドライクリーニングの選択がある。
【０００３】
従来の洗濯洗浄は、通常は消費者の家又はコインランドリーのような専用の場所の洗濯機で、比較的多量の水を用いて実施される。洗濯機及び洗濯洗剤は非常に高性能なものになってきたが、従来の洗濯プロセスは、依然として布地物品を移染及び縮みの危険に曝している。消費者によって使用される布地物品の大部分は、従来の洗濯プロセスでの洗浄に適していない。「洗濯機で安全」と考えられる布地物品でさえも、洗濯プロセスからひどいしわが生じ、アイロンがけが必要となることが多い。
【０００４】
ドライクリーニングプロセスは、洗浄を非水性溶媒に頼る。水を避けることによって、これらのプロセスは、縮みやしわが生じる危険を最小限に抑えるが、汚れの洗浄、特に水ベースの汚れ及びアルコールベースの汚れの洗浄は、これらのプロセスでは大きく制限される。通常、ドライクリーニング店は、このような汚れをドライクリーニングプロセスの前に手作業で除去する。これらの方法は複雑であり、見つかった様々な染みに対処するために広範な組成物を必要とし、非常に労力を要し、処理される物品に何らかの局所的損傷を与える結果となることが多い。
【０００５】
非水性洗浄技術は今や家庭での使用に対して出現している。これらの技術は、通常、種々の溶媒を利用するように装備された特殊な洗濯装置の使用を伴う。こうした洗浄技術の例は、米国特許出願公開番号ＵＳ２００２／０１３３８８６（サバーン（Severns）ら）に示されている。最も徹底した洗浄性を得るために、これらの技術は洗浄のための種々の組成物を使用する。
【発明の開示】
【発明が解決しようとする課題】
【０００６】
いかなる洗浄プロセスを扱う場合も、微生物及び微生物濃度が極めて重要である。微生物の存在は不満足な洗浄結果を引き起こし得る。例えば、布地洗浄における微生物侵襲によって、布地物品が不快なにおい又は変色を有する結果となり得る。
【０００７】
非水性洗浄技術には、微生物汚染が問題となり得る多くの領域がある。したがって、非水性洗浄のための洗濯装置及び組成物に抗微生物剤を提供するというまだ満たされていない要求が存在する。
【課題を解決するための手段】
【０００８】
本発明は、
ａ）親油性流体を使用する非水性洗濯プロセスによって布地物品を洗濯すること、
ｂ）前記非水性洗濯プロセスに抗微生物剤を導入すること、
ｃ）前記抗微生物剤を用いて微生物の効力を低下させること、及び
ｄ）所望により、洗浄組成物から微生物を除去すること
を含む、非水性洗濯プロセスにおいて微生物を処理する方法を含む。
【０００９】
これら及び他の態様、特徴、並びに利点は、以下の詳細な説明及び添付の特許請求の範囲を読めば当業者には明らかになる。特に指定のない限り、本明細書のパーセンテージ、比率、及び割合は、すべて重量による。特に指定のない限り、温度はすべて摂氏（℃）である。特に指定のない限り、測定値はすべてＳＩ単位である。引用される文献は、すべて関連部分において本明細書に参考として組み込まれる。
【発明を実施するための最良の形態】
【００１０】
（定義）
本明細書で使用される用語「布地物品」とは、従来の洗濯プロセス又はドライクリーニングプロセスで慣例的に洗浄されるいかなる物品をも意味するものとする。したがって、この用語は、衣類、亜麻布、カーテン及び衣類付属品の物品を包含する。この用語は、また、手提げバッグ、家具カバー、防水布等のような、全体又は一部が布地で作製された他の品目も包含する。
【００１１】
本明細書で使用する用語「布地物品処理組成物」は、洗浄すべき布地物品と直接接触する、洗浄及び／又はケア用添加物を含有するいかなる親油性流体含有組成物をも意味するものとする。用語「布地物品処理組成物」が、コンディショニング及びサイジングのような洗浄以外の用途を包含することを理解すべきである。更に、前述した界面活性剤以外の追加の界面活性剤及び漂白剤等のような任意の洗浄補助剤を、「布地物品処理組成物」に添加してもよい。すなわち、洗浄補助剤を、所望により親油性流体と組み合わせてよい。これら任意の洗浄補助剤について、以下でより詳細に説明する。このような洗浄補助剤は、本発明の布地物品処理組成物中に、当該布地物品処理組成物の約０．０１重量％〜約１０重量％の濃度で存在してよい。
【００１２】
用語「汚れ」とは、除去が望まれる、布地物品上の望ましくないいかなる物質をも意味する。用語「水ベースの」又は「親水性の」汚れとは、汚れが、最初に布地物品と接触した時点で水を含んでいるか、又は汚れが布地物品上で相当量の水を保持していることを意味する。水ベースの汚れの例としては、これらに限定するものではないが、飲物、多くの食品汚れ、水溶性染料、汗、尿若しくは血液などの体液、並びに草の染み及び泥などの戸外の汚れが挙げられる。
【００１３】
用語「親油性流体中に水を懸濁させることが可能」は、ある物質が、構成成分の最初の混合後に少なくとも５分間静置させたときに、目で見て水が懸濁し、溶媒和し、又は乳化したままであるような形で、水を懸濁させ、溶媒和させ、及び／又は乳化させることができることを意味する。本発明による組成物の一部の実施例では、組成物は、コロイドの性質であってよく、及び／又は乳状に見えてもよい。本発明による組成物の他の実施例では、組成物は透明であってよい。
【００１４】
用語「親油性流体に不溶性」は、親油性流体に添加されたときに、物質が、添加後５分以内に親油性流体から物理的に分離（すなわち、沈殿、凝縮、浮遊）することを意味し、一方、「親油性流体に可溶性」である物質は、添加後５分以内に親油性流体から物理的に分離しない。
【００１５】
用語「消費洗剤組成物」は、分離性の親油性流体と組み合わせたときに、結果として本発明による布地物品処理組成物が得られる、いかなる洗剤組成物をも意味する。
【００１６】
用語「加工助剤」は、本発明による布地物品処理組成物を形成するために、消費洗剤組成物を、処方、安定性、及び／又は親油性流体による希釈により適したものにする、いかなる物質をも指す。
【００１７】
本明細書で使用するとき、用語「混合」は、２つ以上の物質（すなわち、より具体的には、分離性の親油性流体と、本発明による洗剤組成物）を、均質な混合物又は安定な分散液若しくは懸濁液が形成されるような形で組み合わせることを意味する。好適な混合方法は、当該技術分野において公知である。好適な混合方法の非限定例としては、攪拌混合方法及び静的混合方法が挙げられる。
【００１８】
本明細書で使用するとき、「溶媒相溶性基」は、いかなる炭化水素、シリコーン、ポリアルキレンオキシド（エトキシ、プロポキシ、ブトキシなど、及び混合物）又はフルオロ基をも意味する。炭化水素基は、線状、環式、分枝状、飽和若しくは不飽和の直鎖及び分枝鎖線状脂肪族；複素環式脂肪族を含む飽和及び不飽和の環式脂肪族；又は複素環式芳香族を含む単核若しくは多核の芳香族であってよい。ポリオキシアルキレン基は、１以上のアルコキシ繰り返し単位又はアルコキシ繰り返し単位の混合物を含んでよい。シリコーン及びフッ素化基は、１以上の繰り返し単位又は繰り返し単位の混合物から構成されてよい。
【００１９】
本明細書で使用するとき、「官能化した」は、示される溶媒相溶性基がポリオールに化学的に結合していることを意味する。
【００２０】
「官能化した単位」とは、本明細書で使用するとき、前記ポリオールを官能化するために使用される１つの溶媒相溶性基を意味する。
【００２１】
「親油性流体」とは、本明細書で使用するとき、以下で説明する皮脂除去試験を満たし、周囲温度及び圧力において少なくとも部分的に液体、及び／又は容易に流動可能である（非粘性である）いかなる非水性溶媒をも意味する。一般に、好適な親油性流体は周囲温度及び圧力において完全に液体であることができ、容易に融解できる固体、例えば、約０℃〜約６０℃の範囲の温度で液体となるものであることができ、又は周囲温度及び圧力、例えば、２５℃及び圧力１０１ｋＰａ（１気圧）で、液相と蒸気相との混合物を含むことができる。
【００２２】
本発明は、布地物品を処理するための洗濯装置内に抗微生物剤を施すための方法を提供する。優れた布地ケア特性を維持しながら、これらの効果を本発明の組成物によって処理される布地物品にもたらすことができる。細菌の濃度を低減することによって、微生物の代謝活性の結果として生じる潜在的臭気性化合物が低減されると考えられている。低減されるための特に重要な微生物としては、これらに限定されないが、バチルス；グラム陽性菌、例えば黄色ブドウ球菌；グラム陰性菌、例えば大腸菌；及び空中浮遊カビや真菌、例えばアスペルギルスニガー、並びにこれらの混合物が挙げられる。
【００２３】
（非水性洗濯装置）
典型的な非水性洗濯装置は、布地物品を受け入れることのできるチャンバ、前記チャンバに添加することのできる洗浄組成物、及び前記チャンバから前記洗浄組成物を除去するための手段を備える。好適な例は、ＰＣＴ国際公開特許ＷＯ０１／９４６７５に論じられている。その他の好適な例は、ＥＰ１１０３６４６；ＰＣＴ国際公開特許ＷＯ０２／０８５１０；米国特許第５，９４０，９８８号；米国特許第４，７６５，１６１号；米国特許第５，６５２，１９４号；及び米国特許第６，３４６，１２６号に論じられている。
【００２４】
図１に示されている非水性洗濯装置７０の一実施形態では、処理されるべき布地物品及び洗浄組成物（図示しないが、以下で説明する）を受け入れることのできる布地収容チャンバ１を備え、処理されるべき布地物品が前記布地収容チャンバ１内に存在するとき、洗浄組成物が布地収容チャンバ１に導入されてよい。非水性洗濯装置７０は、好ましくは、布地収容チャンバ１中に保持されない前記布地収容チャンバ１からの洗浄組成物を受け入れることのできる外側チャンバ２を更に備える。外側チャンバ２は好ましくは布地収容チャンバ１を格納している。布地収容チャンバ１及び外側チャンバ２は好ましくは、円筒形の構造であり、それぞれが水平アクセス開口部５８及び５９を有しており、図２に示されているとおりである。外側チャンバ２の水平中央線は、好ましくは布地収容チャンバ１に対して固定されており、外側チャンバ２内に移動可能に取り付けられた可動な布地収容チャンバ１の回転軸１００と一致している。外側チャンバ２は好ましくは出口ポート又はドレーン７を備え、外側チャンバ２によって受け入れられた洗浄組成物がこのポート又はドレーン７を通って外側チャンバ２を出る。布地収容チャンバ１は好ましくは、駆動軸４９（図２）によって外側チャンバ２に回転可能に固定されている。図２の断面図、外側チャンバ２は外側縁部を有する円形状の扉５９を有していてもよく、扉５９は開閉することができ、布地物品を家庭用ドライクリーニング装置７０から出し入れするために使用してもよい。布地収容チャンバ１は非水性洗濯装置７０からの布地物品の出し入れに使用するアクセス開口部５８を有していてもよく、好ましくは、このアクセス開口部５８は外側チャンバ２の扉５９の外側縁部と同心円状に揃えられている。非水性洗濯装置７０が作動中のとき、扉５９は閉じた状態にあり、家庭用ドライクリーニング装置７０が作動中は、ロック手段（図示せず）によりロックされているのが好ましい。
【００２５】
少なくとも１つの大型貯蔵タンク１９は、洗浄組成物を収容してもよい。使用者に便利なように、大型貯蔵タンク１９は所望により家庭用ドライクリーニング装置７０から取り外し可能であってもよい。貯蔵タンク１９は、その後再利用されてもよく、又は補充されて装置に再装着されることができる。あるいは、貯蔵タンク１９は、例えば交換可能カートリッジとして交換可能又は使い捨てであってもよい。好適な作動様式の１つでは、大型貯蔵タンク１９は再利用可能であり、非水性洗濯装置７０に永久的に固着されているか、又は熟練修理技術者によってのみ取り外し可能である。
【００２６】
望ましい洗浄組成物は、好ましくはポンプ２４でくみ上げることによって、アプリケータ２６へと送達される。大型貯蔵タンク１９内に貯蔵されている洗浄組成物は、そこからそれぞれライン２２を通ってポンプでくみ上げられ、最初にバルブ２３を通り、次にポンプ２４を通り、そして最後にライン２５を通ってアプリケータ２６へと送られる。
【００２７】
洗浄組成物は、布地物品チャンバ１に入ると、外側チャンバ２内に収集される。洗浄組成物はドレーン７を利用して外側チャンバ２を出て、次に回収タンク８に入る。洗浄組成物は、回収タンク８へと送達される前にフィルタ６で濾過される。空気圧縮機（図示せず）が圧力ラインによって大型貯蔵タンク１９へと連結されているのが好ましい。家庭用ドライクリーニング物質を搬送するその他の手段として、重力、遠心力、ダイヤフラム、ピストン、又は蠕動ポンプを挙げることができる。
【００２８】
フィルタ６が、糸くず、布地繊維及び大きな粒子状汚れを取り除くので、それらが回収タンク８の底に沈殿したり、下流ラインを詰まらせたりすることがない。また、通常、ポンプ１０は一般的に固体による損傷をより受けやすい種類のより高圧のポンプであるので、フィルタ６は、ポンプ１０の信頼性のある動作を確実にする。
【００２９】
洗浄組成物は、種々の構成成分から製造される。こうした構成成分としては、親油性流体、界面活性剤、加工助剤、添加剤、極性溶媒、及び洗浄補助剤が挙げられる。
【００３０】
（親油性流体）
本明細書の親油性流体は、不燃性であるか、又は従来の公知のドライクリーニング流体の特性に等しい、若しくは好ましくはそれを上回る、比較的高い引火点及び／若しくは低いＶＯＣ特性を有することが好ましく、ここでこれらの用語は、ドライクリーニング業界で使用される従来の意味を有する。
【００３１】
（皮脂除去試験）
本明細書に記載の皮脂除去試験を使用して、本発明で使用するのに好適な親油性流体を特定する。当該試験方法は、皮脂に関するモデル汚れとして、市販のクリスコ（Crisco）（登録商標）キャノーラ油、オレイン酸（純度９５％、シグマ・アルドリッチ社（Sigma Aldrich Co.）から入手可能）、及びスクアレン（純度９９％、Ｊ．Ｔ．ベイカー（J.T.Baker）から入手可能）を使用する。試験物質は、実質的に無水で、補助剤又は他の物質が添加されていないものでなければならない。一般指針として、ペルフルオロブチルアミン（フロリナート（Fluorinert）ＦＣ−４３（登録商標））は、それ自体が（補助剤と共に、又は補助剤なしで）定義により親油性流体として適していない基準物質である。
【００３２】
皮脂除去試験は３つのバイアル瓶を準備することから始まる。第１のバイアル瓶に１．０ｇのキャノーラ油を入れ、第２のバイアル瓶に１．０ｇのオレイン酸（９５％）を入れ、第３及び最後のバイアル瓶に１．０ｇのスクアレン（９９％）を入れる。各バイアル瓶に、親油性を試験すべき流体を１ｇ入れる。室内温度及び圧力において、準備した各バイアル瓶を最大設定の標準攪拌混合器上で２０秒間別々に混合する。バイアル瓶を作業台に載置し、室内温度及び圧力で１５分間置く。１５分後に親油性汚れの入ったバイアル瓶のいずれかに単一の相が形成された場合、その流体は、本発明による「親油性流体」として使用するのに好適であると見なされる。しかし、３本のバイアル瓶すべてに２つ以上の分離相が形成された場合、その流体の「親油性流体」としての適格性を拒否又は容認する前に、油相中に溶解した流体の量を更に測定する必要がある。
【００３３】
このような場合、注射器により、各バイアル瓶の各層から２００マイクロリットルのサンプルを慎重に取り出す。３つのモデル汚れそれぞれの較正サンプル及び試験される流体の保持時間を測定後、注射器で取り出した層のサンプルをＧＣオートサンプラーバイアル瓶に入れ、従来のＧＣ分析を実施する。ＧＣによって、オレイン酸層、キャノーラ油層、又はスクアラン層から成る層のいずれか１つに、１％を超える、好ましくはそれ以上の試験流体が存在することが見出された場合、その試験流体も親油性流体として使用するのに適格である。必要であれば、当該方法は、ヘプタコサフルオロトリブチルアミン、すなわちフロリナートＦＣ−４３（Fluorinert FC-43）（不合格）及びシクロペンタシロキサン（合格）を使用して更に較正することができる。
【００３４】
好適なＧＣは、スプリット／スプリットレス注入器及びＦＩＤを備えたヒューレット・パッカード（Hewlett Packard）のガスクロマトグラフＨＰ５８９０シリーズＩＩである。親油性流体の存在量を測定する際に使用される好適なカラムは、Ｊ＆Ｗサイエンティフィック社（J&W Scientific）のキャピラリーカラムＤＢ−１ＨＴ（３０ｍ、内径０．２５ｍｍ、膜厚０．１μｍ、カタログ番号１２２１１３１）である。ＧＣは、以下の条件下で操作されるのが好適である：
キャリアガス：水素；カラムヘッド圧：６２ｋＰａ（９ｐｓｉ）；流量：カラム流量＠約１．５ｍＬ／分；スプリットベント＠約２５０〜５００ｍＬ／分；セプタムパージ＠１ｍＬ／分；注入：ＨＰ７６７３オートサンプラー、１０μＬ注射器、１μＬ注入；注入器温度：３５０℃；検出器温度：３８０℃；オーブン温度プログラム：初期６０℃、持続時間１分；速度２５℃／分；最終３８０℃、持続時間３０分。
【００３５】
本明細書で使用するのに好適な好ましい親油性流体は、優れた衣類ケア特性を有することに基づいて、使用のために更に認定することができる。衣類ケア特性試験は、当該技術分野において周知であり、継ぎ目等に使用される布地、糸及びゴムひも、並びに様々なボタンを含め、幅広い範囲の衣類又は布地物品構成要素を使用する、認定すべき流体の試験を伴う。本明細書で使用するのに好ましい親油性流体は、優れた衣類ケア特性を有し、例えば、良好な縮み又は布地ひだ寄り特性を有して、プラスチックボタンに感知可能な損傷を与えない。
【００３６】
衣類ケア試験、又は例えば可燃性などのその他の認定のためには、該親油性流体で使用するための親油性流体は、混合物中、例えば水との混合物中に、布地物品と接触することになる最終親油性流体中で使用されるのに近い比率で存在することができる。皮脂を除去するある種の物質は、親油性流体として使用するのに適格であり、例えば、乳酸エチルは、ボタンを溶解させる傾向があるので全く好ましくない可能性があり、このような物質を親油性流体中で使用する場合は、水及び／又は他の溶媒と共に処方して、全体的な混合物が実質的にボタンを傷めないようにする。他の親油性流体、例えばデカメチルシクロペンタシロキサンは、衣類ケアの要求を十分に満たす。いくつかの好適な親油性流体は、米国特許第５，８６５，８５２号、第５，９４２，００７号、第６，０４２，６１７号、第６，０４２，６１８号、第６，０５６，７８９号、第６，０５９，８４５号、及び第６，０６３，１３５号に見出すことができる。
【００３７】
好適な親油性流体物質の非限定例としては、シロキサン、他のシリコーン、炭化水素、グリコールエーテル、グリセリンエーテルのようなグリセリン誘導体、ペルフルオロ化アミン、ペルフルオロ化及びハイドロフルオロエーテル溶媒、低揮発性の非フッ素化有機溶媒、ジオール溶媒、環境に優しいその他の溶媒、並びにこれらの混合物が挙げられる。
【００３８】
本明細書で使用するとき、「シロキサン」は、非極性及び水中又は低級アルコール中に不溶性であるシリコーン流体を意味する。線状シロキサン（例えば、米国特許第５，４４３，７４７号及び同第５，９７７，０４０号参照）並びに環状シロキサンは、本明細書で有用であり、それには、オクタメチルシクロテトラシロキサン（テトラマー）、ドデカメチルシクロヘキサシロキサン（ヘキサマー）、及び好ましくはデカメチルシクロペンタシロキサン（ペンタマー、一般に「Ｄ５」と呼ばれる）から選択される環状シロキサンが含まれる。好ましいシロキサンは、約５０％を超える環状シロキサンペンタマー、別の実施形態では約７５％を超える環状シロキサンペンタマー、更に別の実施形態では少なくとも約９０％の環状シロキサンペンタマーを含む。やはり本明細書で使用するのに好ましいのは、少なくとも約９０％（好ましくは少なくとも約９５％）のペンタマー並びに約１０％未満（好ましくは約５％未満）のテトラマー及び／又はヘキサマーを有する、環状シロキサンの混合物であるシロキサンである。
【００３９】
以下で説明するような親油性流体試験の要件を満たす限り、親油性流体の混合物も好適である。親油性流体には、ドライクリーニング溶媒、特にフッ素化溶媒又はペルフルオロアミンを含むより新しい種類の任意の部分を含むことができる。ペルフルオロトリブチルアミンのような一部のペルフルオロアミンは、親油性流体として使用するには適していないが、親油性流体含有組成物中に存在し得る多くの補助剤の１つとして存在してよい。
【００４０】
他の好適な親油性流体としては、これらに限定するものではないが、ジオール溶媒系、例えば、Ｃ６若しくはＣ８又は更に高級のジオールのような高級ジオール、環式及び非環式型の両方を含む有機シリコーン溶媒、並びにこれらの混合物が挙げられる。
【００４１】
低揮発性の非フッ素化有機溶媒の非限定例としては、例えば、オレアン（OLEAN）（登録商標）及びその他のポリオールエステル、又はある種の比較的非揮発性の生分解性中鎖分枝状石油留分が挙げられる。
【００４２】
グリコールエーテルの非限定例としては、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられる。
【００４３】
シロキサンに加えて、他のシリコーン溶媒の非限定例が文献で周知であり（例えば、カーク・オスマー（Kirk Othmer）の「工業化学百科事典（Encyclopedia of Chemical Technology）」参照）、ＧＥシリコーンズ（GE Silicones）、東芝シリコーン（Toshiba Silicone）、バイエル（Bayer）及びダウ・コーニング（Dow Corning）を含む多数の市販源から入手可能である。例えば、好適なシリコーン溶媒の１つは、ＧＥシリコーンズ（GE Silicones）から入手可能なＳＦ−１５２８である。
【００４４】
本発明の方法及び／又は装置で使用するのに好適なグリセリン誘導体溶媒の非限定的な例には、次の構造を有するグリセリン誘導体が挙げられる：
【化１】
2007521408.tif 000003
式中、Ｒ１、Ｒ２、及びＲ３それぞれは独立して：水素；分枝状又は直鎖、置換又は非置換の、Ｃ１〜Ｃ３０アルキル、Ｃ２〜Ｃ３０アルケニル、Ｃ１〜Ｃ３０アルコキシカルボニル、Ｃ３〜Ｃ３０アルキレンオキシアルキル、Ｃ１〜Ｃ３０アシルオキシ、Ｃ７〜Ｃ３０アルキレンアリール；Ｃ４〜Ｃ３０シクロアルキル；Ｃ６〜Ｃ３０アリール、及びこれらの混合物から選択される。Ｒ１、Ｒ２及びＲ３の２つ以上が相まって、Ｃ３〜Ｃ８の、芳香族又は非芳香族、複素環式又は非複素環式の環を形成することができる。
【００４５】
好適なグリセリン誘導体溶媒の非限定例としては、２，３−ビス（１，１−ジメチルエトキシ）−１−プロパノール；２，３−ジメトキシ−１−プロパノール；３−メトキシ−２−シクロペントキシ−１−プロパノール；３−メトキシ−１−シクロペントキシ−２−プロパノール；炭酸（２−ヒドロキシ−１−メトキシメチル）エチルエステルメチルエステル；グリセロールカーボネート、及びこれらの混合物が更に挙げられる。
【００４６】
環境に優しい他の溶媒の非限定例としては、オゾン反応性が約０〜約０．３１の親油性流体、蒸気圧が約０〜１３Ｐａ（０〜約０．１ｍｍＨｇ）の親油性流体、及び／又は、蒸気圧が１３Ｐａ（０．１ｍｍＨｇ）より高く、ただしオゾン反応性が約０〜約０．３１である親油性流体が挙げられる。ここまでに記載していないこのような親油性流体の非限定例としては、カーボネート溶媒（すなわち、メチルカーボネート、エチルカーボネート、エチレンカーボネート、プロピレンカーボネート、グリセリンカーボネート）、及び／又はサクシネート溶媒（すなわち、ジメチルサクシネート）が挙げられる。
【００４７】
本明細書で使用するとき、「オゾン反応性」は、ＶＯＣが大気中でオゾンを形成する能力の指標である。それは、揮発性有機物１グラム当たりで形成されるオゾンのグラム数として測定される。オゾン反応性を測定するための方法については、Ｗ．Ｐ． Ｌ．カーターの「揮発性有機化合物のオゾン反応性尺度の開発（Development of Ozone Reactivity Scales of Volatile Organic Compounds）」、空気及び廃棄物管理協会誌（Journal of the Air & Waste Management Association）、第４４巻、８８１〜８９９頁、１９９４で更に論じられている。使用される「蒸気圧」は、カリフォルニア大気資源局（California Air Resources Board）の方法３１０で定義される技術によって測定することができる。
【００４８】
好ましくは、親油性流体は、当該親油性流体の５０重量％を超えるシクロペンタシロキサン（「Ｄ５」）、及び／又はほぼ同様の揮発性を有し、所望により他のシリコーン溶媒によって補完された線状類縁体を含む。
【００４９】
（界面活性剤）
本発明で使用するのに好適な界面活性剤は、次の一般式を有する：
（Ｉ）Ｅｕ−（Ｌｔ−Ｂｖ）ｘ−Ｅ’ｗ
（ＩＩ）Ｌｙ−（Ｂｖ−Ｈｕ）ｘ−Ｌ’ｚ
及びこれらの混合物。
【００５０】
式中、Ｌ及びＬ’は、溶媒相溶化（又は親油性）部分であり、これらは独立して次から選択される：
（ａ）Ｃ１〜Ｃ２２アルキル又はＣ４〜Ｃ１２アルコキシの、線状又は分枝状、環式又は非環式、飽和又は不飽和、置換又は非置換のもの；
（ｂ）次式を有するシロキサン：
ＭａＤｂＤ’ｃＤ’’ｄ
式中、ａは０〜２であり；ｂは０〜１０００であり；ｃは０〜５０であり；ｄは０〜５０であり、ただしａ＋ｃ＋ｄが少なくとも１であることを条件とし；
ＭはＲ１３−ｅＸｅＳｉＯ１／２であり、式中、Ｒ１は独立してＨ、又は一価の炭化水素基であり、Ｘはヒドロキシル基であり、ｅは０又は１であり；
ＤはＲ４２ＳｉＯ２／２であり、式中、Ｒ４は独立して、Ｈ、又は一価の炭化水素基であり；
Ｄ’はＲ５２ＳｉＯ２／２であり、式中、Ｒ５は独立してＲ２であり、ただし、少なくとも１つのＲ５が（ＣＨ２）ｆ（Ｃ６Ｑ４）ｇＯ−（Ｃ２Ｈ４Ｏ）ｈ−（Ｃ３Ｈ６Ｏ）i（ＣｋＨ２ｋ）ｊ−Ｒ３であることを条件とし、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；Ｃ６Ｑ４は非置換又は置換型であり；Ｑは独立して、Ｈ、Ｃ１〜１０アルキル、Ｃ１〜１０アルケニル、及びこれらの混合物から選択され；
Ｄ’’はＲ６２ＳｉＯ２／２であり、式中、Ｒ６は独立してＨ、一価の炭化水素基、又は（ＣＨ２）ｌ（Ｃ６Ｑ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり；ｍは０又は１であり；ｎは０〜５であり；ｏは０〜３であり；ｐは０又は１であり；ｑは０〜１０であり；ｒは０〜３であり；ｓは０〜３であり；Ｃ６Ｑ４は、非置換又は置換型であり；Ｑは独立してＨ、Ｃ１〜１０アルキル、Ｃ１〜１０アルケニル及びこれらの混合物から選択され；Ａ及びＡ’はそれぞれ独立してエステル、ケト、エーテル、チオ、アミド、アミノ、Ｃ１〜４フルオロアルキル、Ｃ１〜４フルオロアルケニル、分枝鎖又は直鎖ポリアルキレンオキシド、ホスフェート、スルホニル、サルフェート、アンモニウム及びこれらの混合物を表す連結部分であり；Ｌ及びＬ’はそれぞれ独立してＣ１〜３０直鎖若しくは分枝状アルキル又はアルケニル又はアリールで、非置換又は置換型であり；Ｚは水素、カルボン酸、ヒドロキシ、ホスフェート（phosphato）、ホスフェートエステル、スルホニル、スルホネート、サルフェート、分枝鎖又は直鎖ポリアルキレンオキシド、ニトリル、グリセリル、Ｃ１〜３０アルキル若しくはアルケニルで置換された又は非置換のアリール、Ｃ１〜１０アルキル若しくはアルケニルで置換された又は非置換の炭水化物、あるいはアンモニウムであり；ＧはＨ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートのような、アニオン又はカチオンであり；Ｄ”は、Ｃ１〜Ｃ４アルキル又はヒドロキシ基で末端処理することができ；
Ｅ及びＥ’は親水性部分であり、独立してヒドロキシ；ポリヒドロキシ；Ｃ１〜Ｃ３アルコキシ；モノ−又はジ−アルカノールアミン；Ｃ１−Ｃ４アルキル置換アルカノールアミン；Ｏ、Ｓ、Ｎを含有する置換複素環；サルフェート；カルボキシレート；カーボネートから選択され；Ｅ及び／又はＥ’がエトキシ（ＥＯ）又はプロポキシ（ＰＯ）であるとき、それは以下のものから選択されるＲで末端処理されていなければならず：
（ｉ）１〜３個のヘテロ原子を含有する、４〜８員の、置換又は非置換の複素環式環；及び
（ｉｉ）約１〜約３０個の炭素原子を有する、線状又は分枝状、飽和又は不飽和、置換又は非置換、環式又は非環式、脂肪族又は芳香族の炭化水素ラジカル；
Ｂは、Ｏ；Ｓ；Ｎ；Ｐ；Ｏ、Ｓ、Ｎ、Ｐが入り込んだ（interrupted）Ｃ１〜Ｃ２２アルキルの、線状又は分枝状、飽和又は不飽和、置換又は非置換、環式又は非環式、脂肪族又は芳香族のもの；グリシジル、エステル、アミド、アミノ、ＰＯ４２−、ＨＰＯ４−、ＰＯ３２−、ＨＰＯ３−から選択される架橋結合であり、これらは、プロトン化、又は非プロトン化しており；
ｕ及びｗは、０〜２０から独立して選択される整数であり、ただしｕ＋ｗ≧１であることを条件とし；
ｔは１〜１０の整数であり；
ｖは０〜１０の整数であり；
ｘは１〜２０の整数であり；
ｙ及びｚは、１〜１０から独立して選択される整数である。
【００５１】
上式を有する界面活性剤の非限定例としては：
（１）アルカノールアミン；
（２）ホフェート（phophate）／ホスホネートエステル；
（３）これらに限定するものではないが、ジェミニジオール、ジェミニアミドアルコキシレート、ジェミニアミノアルコキシレートを含む、ジェミニ界面活性剤；
（４）末端処理された非イオン性界面活性剤；
（５）非イオン性シリコーンエトキシレート、シリコーンアミン誘導体のような末端処理されたシリコーン界面活性剤；
（６）アルキルアルコキシレート；
（７）ポリオール界面活性剤；及び
これらの混合物が挙げられる。
【００５２】
界面活性剤の別の部類としては、シロキサン系界面活性剤を挙げることができる。この用途におけるシロキサン系界面活性剤は、他の用途向けのシロキサンポリマーであってよい。シロキサン系界面活性剤は、通常、０．０００８〜０．０３３ａｇの重量平均分子量（５００〜２０，０００ダルトン）を有する。ポリ（ジメチルシロキサン）から誘導されるこのような物質は、当該技術分野において周知である。本発明では、このようなシロキサン系界面活性剤すべてが好適であるとは限らないが、それは、そのような界面活性剤が、親油性流体自体によってもたらされる洗浄レベルに比べて改善された汚れの洗浄をもたらさないからである。
【００５３】
好適なシロキサン系界面活性剤は、次式を有するポリエーテルシロキサンを含み：
ＭａＤｂＤ’ｃＤ’’ｄＭ’２−ａ
式中、ａは０〜２であり；ｂは０〜１０００であり；ｃは０〜５０であり；ｄは０〜５０であり、ただしａ＋ｃ＋ｄが少なくとも１であることを条件とし；
ＭはＲ１３−ｅＸｅＳｉＯ１／２であり、式中、Ｒ１は独立してＨ、又は一価の炭化水素基であり、Ｘはヒドロキシル基であり、ｅは０又は１であり；
Ｍ’はＲ２３ＳｉＯ１／２であり、式中、Ｒ２は独立して、Ｈ、一価の炭化水素基、又は（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、ただし、少なくとも１つのＲ２が（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であることを条件とし、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；Ｃ６Ｑ４は非置換又は置換型であり；Ｑは独立して、Ｈ、Ｃ１〜１０アルキル、Ｃ１〜１０アルケニル、及びこれらの混合物から選択され；
ＤはＲ４２ＳｉＯ２／２であり、式中、Ｒ４は独立して、Ｈ、又は一価の炭化水素基であり；
Ｄ’はＲ５２ＳｉＯ２／２であり、式中、Ｒ５は独立してＲ２であり、ただし、少なくとも１つのＲ５が（ＣＨ２）ｆ（Ｃ６Ｑ４）ｇＯ−（Ｃ２Ｈ４Ｏ）ｈ−（Ｃ３Ｈ６Ｏ）i（ＣｋＨ２ｋ）ｊ−Ｒ３であることを条件とし、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；Ｃ６Ｑ４は非置換又は置換型であり；Ｑは独立して、Ｈ、Ｃ１〜１０アルキル、Ｃ１〜１０アルケニル、及びこれらの混合物から選択され；
Ｄ’’はＲ６２ＳｉＯ２／２であり、式中、Ｒ６は独立して、Ｈ、一価の炭化水素基、又は（ＣＨ２）ｌ（Ｃ６Ｑ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり；ｍは０又は１であり；ｎは０〜５であり；ｏは０〜３であり；ｐは０又は１であり；ｑは０〜１０であり；ｒは０〜３であり；ｓは０〜３であり；Ｃ６Ｑ４は非置換又は置換型であり；Ｑは独立して、Ｈ、Ｃ１〜１０アルキル、Ｃ１〜１０アルケニル、及びこれらの混合物から選択され；Ａ及びＡ’はそれぞれ独立して、エステル、ケト、エーテル、チオ、アミド、アミノ、Ｃ１〜４フルオロアルキル、Ｃ１〜４フルオロアルケニル、分枝鎖又は直鎖ポリアルキレンオキシド、ホスフェート、スルホニル、サルフェート、アンモニウム、及びこれらの混合物を表す連結部分であり；Ｌ及びＬ’はそれぞれ独立して、Ｃ１〜３０直鎖若しくは分枝鎖アルキル又はアルケニル又はアリールで、非置換又は置換型であり；Ｚは、水素、カルボン酸、ヒドロキシ、ホスフェート（phosphato）、ホスフェートエステル、スルホニル、スルホネート、サルフェート、分枝鎖又は直鎖ポリアルキレンオキシド、ニトリル、グリセリル、Ｃ１〜３０アルキル若しくはアルケニルで置換されたアリール又は非置換のアリール、Ｃ１〜１０アルキル若しくはアルケニルで置換された炭水化物又は非置換の炭水化物、あるいはアンモニウムであり；Ｇは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートのような、アニオン又はカチオンである。
【００５４】
以上に記載したシロキサン系界面活性剤の種類の例は、ＥＰ−１，０４３，４４３Ａ１、ＥＰ−１，０４１，１８９、及びＷＯ−０１／３４，７０６（すべてＧＥシリコーンズ（GE Silicones））、並びにＵＳ−５，６７６，７０５、ＵＳ−５，６８３，９７７、ＵＳ−５，６８３，４７３、及びＥＰ−１，０９２，８０３Ａ１（すべてリーバー・ブラザーズ（Lever Brothers）に譲渡）に見出すことができる。
【００５５】
好適なシロキサン系界面活性剤の非限定的な市販の例は、ＴＳＦ４４４６（例えば、ゼネラル・エレクトリック・シリコーンズ（General Electric Silicones））、ＸＳ６９−Ｂ５４７６（例えば、ゼネラル・エレクトリック・シリコーンズ（General Electric Silicones））；ジェナミン（Jenamine）ＨＳＸ（例えば、デルコン（DelCon））及びＹ１２１４７（例えば、ＯＳｉスペシャルティーズ（OSi Specialties））である。
【００５６】
界面活性剤成分に好適な更に別の好ましい部類の物質は、有機物の性質をもつ。好ましい物質は、炭素原子数約６〜約２０の炭素鎖をもつ、オルガノスルホサクシネート界面活性剤である。それぞれが炭素原子数約６〜約２０の炭素鎖をもつ、ジアルキル鎖を含有するオルガノスルホサクシネートが、最も好ましい。また、アリール又はアルキルアリール、置換又は非置換、分枝状又は線状、飽和又は不飽和の基を含有する鎖も好ましい。好適なオルガノスルホサクシネート界面活性剤の市販の非限定例は、エアゾール（Aerosol）ＯＴ及びエアゾール（Aerosol）ＴＲ−７０（例えば、サイテック（Cytec））の商品名で入手可能である。
【００５７】
界面活性剤成分は、本発明の組成物中に存在するとき、当該組成物の好ましくは約１重量％〜約９９重量％、より好ましくは２重量％〜約７５重量％、更により好ましくは約５重量％〜約６０重量％含まれる。
【００５８】
洗浄溶液を調製するために組成物が親油性流体で希釈されるときには、界面活性剤成分は、好ましくは洗浄溶液の約０．０１重量％〜約１０重量％、より好ましくは約０．０２重量％〜約５重量％、更により好ましくは約０．０５重量％〜約２重量％含まれる。
【００５９】
（非シリコーン添加剤）
好ましくは極性の強い且つ／又は水素結合する先端基を含む、任意の非シリコーン添加物（すなわち、Ｓｉ原子を含有しない物質）は、本発明の組成物による汚れの除去を更に増進させる。極性の高い且つ／又は水素結合する先端基を含有する物質の例としては、これらに限定するものではないが、アルコール、カチオン性界面活性剤などのカチオン性物質、四級界面活性剤、塩化アンモニウムのような四級アンモニウム塩（塩化アンモニウムの非限定例は、アクゾ・ノーベル（Akzo Nobel）から市販のアークワッド（Arquad）物質である）及びカチオン性布地柔軟化活性物質、非イオン性界面活性剤のような非イオン性物質（すなわち、アルコールエトキシレート、ポリヒドロキシ脂肪酸アミド）、ジェミニ界面活性剤、アニオン性界面活性剤、双極性界面活性剤、カルボン酸、サルフェート、スルホネート、ホスフェート、ホスホネート、並びに窒素含有物質が挙げられる。一実施形態では、非シリコーン添加物は、一級、二級及び三級アミン、ジアミン、トリアミン、エトキシル化アミン、アミンオキシド、アミド並びにベタインから選択される、窒素含有物質を含み、ベタインの非限定例は、スケア・ケミカルズ（Scher Chemicals）から市販のスケアコタイン（Schercotaine）物質及びそれらの混合物である。
【００６０】
他の実施形態では、アルキル鎖は、融点を低下させるのに役立つ可能性のある分枝を含有する。
【００６１】
更に他の実施形態では、約６〜約２２個の炭素原子を含む一級アルキルアミンが使用される。特に好ましい一級アルキルアミンは、オレイルアミン（アーミン（Armeen）ＯＬＤの商標名でアクゾ（Akzo）から市販）、ドデシルアミン（アーミン１２Ｄの商標名でアクゾ（Akzo）から市販）、分枝状Ｃ１６〜Ｃ２２アルキルアミン（プリミーン（Primene）ＪＭ−Ｔの商標名でローム・アンド・ハース（Rohm & Haas）から市販）及びこれらの混合物である。
【００６２】
好適なカチオン性物質には四級界面活性剤を挙げることができ、これは四級アンモニウム化合物であってよい。市販の剤には、ゴールドシュミット（Goldschmidt）製のバリソフト（Varisoft）物質が挙げられる。
【００６３】
（極性溶媒）
本発明の組成物は極性溶媒を更に含んでもよい。極性溶媒の非限定例としては：水、アルコール、グリコール、ポリグリコール、エーテル、カーボネート、二塩基性エステル、ケトン、他の酸素化溶媒、及びこれらの混合物が挙げられる。アルコールのさらなる例としては：プロパノール、エタノール、イソプロピルアルコールなどのようなＣ１〜Ｃ１２６アルコール、ベンジルアルコール、及び１，２−ヘキサンジオールのようなジオールが挙げられる。ダウ・ケミカル（Dow Chemical）によるダウアノール（Dowanol）シリーズは、本発明で有用なグリコール及びポリグリコールの例であり、例えば、ダウアノールＴＰＭ、ＴＰｎＰ、ＤＰｎＢ、ＤＰｎＰ、ＴＰｎＢ、ＰＰｈ、ＤＰＭ、ＤＰＭＡ、ＤＢ、及びその他がある。さらなる例としては、プロピレングリコール、ブチレングリコール、ポリブチレングリコール、及びより疎水性のグリコールが挙げられる。カーボネート溶媒の例は、エチレン、プロピレン及びブチレンカーボネート、例えば、ジェフソル（Jeffsol）の商標名で入手可能なものである。本発明のための極性溶媒は、分散性（δＤ）、極性（δＰ）及び水素結合（δＨ）ハンセン溶解度パラメータによって更に識別することができる。好ましい極性溶媒又は極性溶媒混合物は、部分極性（ｆＰ）及び部分水素結合（ｆＨ）値が、ｆＰ＞０．０２及びｆＨ＞０．１０であり、ここでｆＰ＝δＰ／（δＤ＋δＰ＋δＨ）及びｆＨ＝δＨ／（δＤ＋δＰ＋δＨ）であり、より好ましくはｆＰ＞０．０５及びｆＨ＞０．２０、最も好ましくはｆＰ＞０．０７及びｆＨ＞０．３０である。
【００６４】
本発明の洗剤組成物では、極性溶媒の濃度は、当該洗剤組成物の約０〜約７０重量％、好ましくは１〜５０重量％、更により好ましくは１〜３０％重量とすることができる。
【００６５】
水は、本発明の洗浄流体布地物品処理組成物中に存在する場合、洗浄流体組成物は洗浄流体布地物品処理組成物の約０．００１重量％〜約１０重量％、より好ましくは約０．００５重量％〜約５重量％、更により好ましくは約０．０１重量％〜約１重量％含まれてもよい。
【００６６】
水は、本発明の洗剤組成物中に存在するときには、好ましくは消費洗剤組成物の約１重量％〜約９０重量％、より好ましくは約２重量％〜約７５重量％、更により好ましくは約５重量％〜約４０重量％含まれる。
【００６７】
（加工助剤）
所望により、本発明の組成物は加工助剤を更に含んでもよい。加工助剤は、消費洗剤組成物の流動性及び／若しくは均質性を維持し、並びに／又は希釈プロセスを援助することによって、本発明の布地物品処理組成物の形成を促進する。本発明に好適な加工助剤は、溶媒、好ましくは前述したもの以外の溶媒、ヒドロトロープ、及び／又は界面活性剤、好ましくは界面活性剤成分に関して前述したもの以外の界面活性剤である。特に好ましい加工助剤は、脂肪族アルコール、ジオール、トリオールなどのようなプロトン性溶媒、及びエトキシル化脂肪族アルコールのような非イオン性界面活性剤である。
【００６８】
加工助剤は、本発明の布地物品処理組成物中に存在するときには、好ましくは当該布地物品処理組成物の約０．０２重量％〜約１０重量％、より好ましくは約０．０５重量％〜約１０重量％、更により好ましくは約０．１重量％〜約１０重量％含まれる。
【００６９】
加工助剤は、本発明の消費洗剤組成物中に存在するときには、好ましくは当該消費洗剤組成物の約１重量％〜約７５重量％、より好ましくは約５重量％〜約５０重量％含まれる。
【００７０】
（洗浄補助剤）
好適な洗浄補助剤には、これらに限定するものではないが、ビルダー、界面活性剤、界面活性剤成分に関して前述したもの以外、酵素、漂白活性化剤、漂白触媒、漂白促進剤、漂白剤、アルカリ性供給源、抗菌剤、着色剤、香料、プロ香料（pro-perfume）、仕上げ助剤、ライムソープ分散剤、臭気抑制剤、臭気中和剤、ポリマー移染阻害剤、結晶成長阻害物質、光漂白剤、重金属イオン封鎖剤、変色防止剤、抗微生物剤、酸化防止剤、再付着防止剤、汚れ放出ポリマー、電解質、ｐＨ調整剤、増粘剤、研磨剤、二価又は三価イオン、金属イオン塩、酵素安定化剤、腐食防止剤、ポリアミン及び／又はそのアルコキシレート、泡安定化ポリマー、溶媒、加工助剤、布地柔軟化剤、蛍光増白剤、ヒドロトロープ、泡又はフォーム抑制剤、泡又はフォーム増進剤、並びにこれらの混合物が挙げられる。
【００７１】
（フィルタ内の抗微生物剤）
一実施形態では、本発明の抗微生物剤は洗濯装置のフィルタと共に使用される。抗微生物剤は、いくつかの方法によってフィルタと共に使用することができる。好ましい実施形態では、抗微生物剤はフィルタ上にコーティングされている。より好ましい実施形態では、抗微生物剤はフィルタ内に埋め込まれている。
【００７２】
フィルタ上に埋め込み又はコーティングできるいかなる抗微生物剤をも使用することができる。フィルタ用の好ましい抗微生物剤は、酸化亜鉛、及びコロイド状の金又は銀などの金属粒子である。
【００７３】
この実施形態のフィルタは、バルク溶媒がフィルタを貫通し、少量のバルク溶媒又は水がその溶液中の濃縮された微生物と共に残るように、孔径（０．１〜１００μｍ）を有する。フィルタ上の抗微生物剤と接触する溶液中の微生物は死滅し、又はそれらの代謝活性が最小化される。
【００７４】
（抗微生物剤と親油性流体との接触）
抗微生物剤は、本発明の親油性流体と接触させることができる。本発明の組成物中の微生物の濃度を低減することができる、いかなる抗微生物剤をも使用することができる。抗微生物剤の好ましい濃度は、０．００１〜２０重量％である。最も好ましい濃度は、０．０１〜１．０％である。
【００７５】
親油性流体へ抗微生物剤を送達する任意の方法を利用することができる。ある好ましい方法においては、抗微生物剤は、親油性流体に接触する前に、可溶化される。別の好ましい方法においては、粒子状の不溶性抗微生物剤が親油性流体に送達される。別の好ましい方法では、抗微生物剤をフィルタ又はカラムのような固体表面に結合させて、微生物を含有する流体をその基材又はカラムに貫通させる。現存の流体では微生物を０．５ｌｏｇまで、好ましくは１．０ｌｏｇまで低減させるべきである。
【００７６】
本発明の抗微生物剤は、好ましくは約０．０００１％〜約２０％、更により好ましくは約０．０１％〜約１．０％含まれる。
【００７７】
親油性流体を抗微生物剤の好ましい部類の１つ、すなわち蒸気相における抗微生物剤と接触させる、親油性流体を抗微生物剤と接触させる別の方法。蒸気相における好ましい抗微生物剤はオゾンである。蒸気相における別の好ましい抗微生物剤はホルムアルデヒドである。抗菌活性に影響を及ぼすために、抗微生物剤を十分な時間にわたって親油性流体に加える。所望により、その親油性は次に、微生物及び死滅した微生物の断片を取り除くために濾過される。
【００７８】
（布地物品と接触させる抗微生物剤）
別の実施形態では、抗微生物剤を布地物品に直接接触させる。この接触は、洗濯プロセスの間のどの時点で行うこともできる。一実施形態では、洗濯プロセスの前に抗微生物剤を布地物品と接触させる。別の実施形態では、洗濯プロセスの最中に抗微生物剤を布地物品と接触させる。更に別の実施形態では、洗濯プロセスの後で、抗微生物剤を布地物品と接触させる。更に別の実施形態では、抗微生物剤は乾燥プロセスの最中に布地物品へと送達される。
【００７９】
（抗微生物剤）
種々の抗微生物剤を本発明の方法及び組成物において使用できる。本発明の組成物中の微生物の濃度を低減することができる、いかなる抗微生物剤をも使用することができる。細菌の濃度を低減することによって、微生物の代謝活性の結果として生じる潜在的臭気性化合物が低減されると考えられている。低減されるための特に重要な微生物としては、これらに限定されないが、バチルス；グラム陽性菌、例えば黄色ブドウ球菌；グラム陰性菌、例えば大腸菌；及び空中浮遊カビや真菌、例えばアスペルギルスニガー、並びにこれらの混合物が挙げられる。当業者は適切な抗微生物剤を容易に選択することができるであろう。
【００８０】
布地ケアのために好適ないかなる抗微生物剤をも使用することができる。このような抗微生物剤としては、限定されないが次のものが挙げられる：アセチルサリチル酸、ｎ−アルキル（６８％  Ｃ１２、３２％  Ｃ１４）ジメチルジメチルベンジルアンモニウム、アミンアセテート、アミン塩酸塩、１−（アルキル，アミノ）−３−アミノプロパン、１−（アルキル，アミノ）−３−アミノプロパン、１−（アルキル，アミノ）−３−アミノプロパンジアセテート、１−（アルキル，アミノ）−３−アミノプロパンヒドロキシアセテート、（１−（アルキル，アミノ）−３−アミノプロパンモノアセテート、アルキル、ジメチル１−ナフチルメチルアンモニウム、ジメチルベンジルアンモニウムクロリド、ジメチルベンジルアンモニウム、ジメチルベンジルアンモニウムサッカリネート、ジメチルジメチルベンジルアンモニウムクロリド、ジメチルエチル臭化アンモニウム、ジメチルエチルベンジルアンモニウムクロリド、α−アルキル−ω−ヒドロキシポリ（オキシエチレン）−ヨード錯体、４−ｔ−アミルフェノール、ｐ−ｔ−アミルフェノールカリウム塩、ｐ−ｔ−アミルフェノールナトリウム塩、メタホウ酸バリウム、塩基性塩化銅、１，２−ベンゼンジカルボキサルデヒド、１，２−ベンゾイソチアゾリン−３−オン、２−ベンジル−４−クロロフェノール、１，４−ビス（ブロモアセトキシ）−２−ブテン、ビス（トリブチルスズ）オキシド、ビス（トリクロロメチル）、スルホン、ホウ砂（Ｂ４Ｎａ２Ｏ７．１０Ｈ２Ｏ）（１３０３−９６−４）、ホウ酸、ボロン酸化ナトリウム（Ｂ４Ｎａ２Ｏ７）五水和物、ボロン酸化ナトリウム（Ｂ８Ｎａ２Ｏ１３）四水和物（１２２８０−０３−４）、臭素、塩化臭素、１−ブロモ−１−（ブロモメチル）−１，３−プロパンジカルボニトリル、２−ブロモ−２−ニトロプロパン−１，３−ジオール、１−ブロモ−３−クロロ−５，５−ジメチルヒダントイン、２−ブロモー４’−ヒドロキシアセトフェノン、β−ブロモ−β−ニトロスチレン、１−ブタンチオール、ブトキシポリプロポキシポリエトキシエタノール−ヨード錯体、２−ｔ−ブチルアミノ−４−クロロ−６−エチルアミノ−ｓ−トリアジン、（ブチルカルビチル）（６−プロピルピペロニル）エーテル８０％及び関連化合物、次亜塩素酸カルシウム、カプリン酸、カプリル酸、クロルヘキシジンジアセテート、塩素化リン酸３ナトリウム、塩素、二酸化塩素、５−クロロ−２−（２，４−ジクロロフェノキシ）フェノール、５−クロロ−２−メチルー３（２Ｈ）−イソチアゾロン、（Ｚ）−１−（３−クロロ−２−プロペニル）−３，５，７−トリアザ−１−アゾニアトリシクロ（３，３，４−クロロ−３，５−キシレノール、４−クロロ−３−クレゾール、１−（３−クロロアリル）−３，５，７−トリアザ−１−アゾニアアダマンタンクロリド、クロム酸、クエン酸、銅（金属性）、銅オキシクロリド（Ｃｕ２Ｃｌ（ＯＨ）３）、硫酸銅、クレオソート油、酸化第二銅、酸化第一銅、デシルイソノニルジメチルアンモニウムクロリド、２−（デシルチオ）エタンアミン塩酸塩、ジアルキル、メチルベンジルアンモニウムクロリド、（６０％  Ｃ１４、３０％  Ｃ１６、２，２−ジブロモ−３−ニトリロプロピオン��ミド、１，３−ジブロモ−５，５−ジメチルヒダントイン、４，５−ジクロロ−２−ｎ−オクチル−３（２Ｈ）−イソチアゾロン、１，３−ジクロロ−５，５−ジメチルヒダントイン、１，３−ジクロロ−５−エチル−５−メチルヒダントイン、ジクロロ−ｓ−トリアジントリオン、１−（（２−（２，４−ジクロロフェニル）−４−プロピル−１，３−ジオキソラン−２−イル）メチル）、ジデシルジメチルアンモニウムクロリド、Ｎ，Ｎ−ジデシル−Ｎ−メチル−３−（トリメトキシシリル）プロパン塩化アミニウム（propanaminium chlorid）、ジヒドロ−５−ペンチル−２（３Ｈ）−フラノン、ジヨードメチルｐ−トリルスルホン、ジイソブチルクレソキシエトキシエチルジメチルベンジルアンモニウムクロリド（chlorid）、ジイソブチルフェノキシエトキシエチルジメチルベンジルアンモニウムクロリド（chlorid）、ジメチルフタル酸、２，６−ジメチル−ｍ−ジオキサン−４−オール酢酸塩、１，３−ジメチロール−５，５−ジメチルヒダントイン、４，４−ジメチルオキサゾリジン、ジオクチルジメチルアンモニウムクロリド２ナトリウム、アノジチオイミドカーボネート、エチレンビス（ジチオカルバメート）２ナトリウム、３Ｈ−１，２−ジチオール−３−オン、４，５−ジクロロ−ドデシルビス（２−ヒドロキシエチル）オクチル水素リン酸アンモニウム、ドデシルビス（ヒドロキシエチル）ジオクチルリン酸アンモニウム、ドデシルベンゼンスルホン酸、ドデシルグアニジン酢酸塩、ドデシルグアニジン塩酸塩、エタノール、硫化エチル、４，４’−（２−エチル−２−ニトロトリメチレン）ジモルホリン、７ａ−エチルジヒドロ−１Ｈ，３Ｈ，５Ｈ−オキサゾロ（３，４−ｃ）オキサゾール、エチレンオキシド、エチレンジアミン四酢酸、ホルムアルデヒド、グルタルアルデヒド、５−ヘプチルジヒドロ−２（３Ｈ−フラノン、ヘキサヒドロ−１，３，５−トリス（２−ヒドロキシエチル）−ｓ−トリアジン、塩化水素（塩酸、無水）、過酸化水素、１−ヒドロキシ−２−（１Ｈ）−ピリジンチオンナトリウム塩、１−（２−ヒドロキシエチル）−２−アルキル−２−イミダゾリン（脂肪酸においてみられる、ｏ，５−ヒドロキシメトキシメチル−１−アザ−３，７−ジオキサビシクロ（３．３．０）オクタン、２−（ヒドロキシメチル）−２−ニトロ−１，３−プロパンジオール、２−（（ヒドロキシメチル）アミノ）−２−メチル−１−プロパノール、２−（（ヒドロキシメチル）アミノ）エタノール、５−ヒドロキシメチル−１−アザ−３，７−ジオキサビシクロ（３．３．０）オクタン、５−ヒドロキシポリ（メチレンオキシ）＊メチル−１−アザ−３，７−ジオキサビシクロ（３．，Ｓ−（２−ヒドロキシプロピル）チオメタンスルホン酸、５−ヒドロキシテトラサイクリン１塩酸塩、ヨウ素、ヨウ素−ヨウ化カリウム錯体、３−ヨード−２−プロピニルブチルカルバメート、イソプロパノール、Ｌ−乳酸、リモネン、次亜塩素酸リチウム、エチレンビス（ジチオカルバメート）マンガン、２−メルカプトベンゾチアゾールナトリウム塩、２−メルカプトベンゾチアゾール亜鉛塩、メタノール、（（（２−（ジヒドロ−５−メチル−３（２Ｈ）−オキサゾリル）−１−メチル）エチル（eth）、メチルアルコール、臭化メチル、サリチル酸メチル、２−メチル−３（２Ｈ）−イソチアゾロン、２−メチル−４，５−トリメチレン−４−イソチアゾリン−３−オン、２−メチル−４−オキソ−３−（２−プロペニル）−２−シクロペンテン−１−イル２，２−ジメチル、メチルドデシルベンジルトリメチルアンモニウムクロリド８０％及びメチル、メチレンビス（チオシアネート）、２，２’−（１−メチルトリメチレンジオキシ）ビス（４−メチル−１，３，２−ジオキサボリン、モノメチロール−５，５−ジメチルヒダントイン、ニトリロ３酢酸３ナトリウム塩、４−（２−ニトロブチル）モルホリン、ノナン酸、ノニルフェノキシポリエトキシエタノール−ヨード錯体、Ｎ−オクチルビシクロヘプテンジカルボキシカルボキシミド（N-Octyl bicycloheptene dicarboximide）、オクチルデシルジメチルアンモニウムクロリド、２−オクチルー３（２Ｈ）−イソチアゾロン、ジャスミン、７−オキサビシクロ（２．２．１）ヘプタン−２，３−ジカルボン酸、２，２’−オキシビス（４，４，６−トリメチル−１，３，２−ジオキサボリナン）、１０，１０’−オキシビスフェノキサルシン、オキシジエチレンビス（アルキル＊ジメチルアンモニウムクロリド）、パラジクロロベンゼン、パラホルムアルデヒド、ペルオキシ酢酸、フェノール、（３−フェノキシフェニル）メチルｄ−シス及びトランス、２，２−ジメチル−３−（２−ｍｅ、ｏ−フェニルフェノール、ｏ−フェニルフェノールカリウム塩、リン酸、リン酸ビス（２−エチルヘキシル）エステル、２，２’−（ｃ，リン酸，モノ（２−エチルヘキシル）エステル，リン酸，モノ（２−エチルヘキシル）エステルとの化合物、松根油、ポリ（イミノイミドカルボニルイミノイミドカルボニルイミノヘキサメチレン）、ポリ（オキシエチレン（ジメチルイミニオ（dimethyliminio））エチレン（ジメチルイミニオ（dimethyliminio））エチル、ポリエトキシポリプロポキシエタノール−ヨード錯体、ポリビニルピロリドン−ヨード錯体、カリウム２−ベンジル−４−クロロフェネート、カリウムＮ−ヒドロキシメチル−Ｎ−メチルジチオカルバメート、カリウムＮ−メチルジチオカルバメート、クレジル酸カリウム、カリウムジメチルジチオカルバメート、ヨウ化カリウム、過マンガン酸カリウム、カリウムペルオキシモノサルフェート、脂肪酸のカリウム塩、１，２−プロパンジオール、プロパノール、オキシビス−、２−プロペナール、プロピオン酸、プロピレンオキシド、シュードモナス・シリンゲ７４２ＲＳ、シュードモナス・フルオレセンス１６２９ＲＳ、シュードモナス・フルオレセンスＡ５０６（以前の符号００６４１８）、腐敗性全卵固形物、１Ｈ−ピラゾール−１−メタノール、３，５−ジメチル−（９ＣＩ）、ピレトリン類、１Ｈ−ピロール−３−カルボニトリル、４−（２，２−ジフルオロ−１，３−ベンゾジオキソール−４−、銀、硝酸銀、酸化銀、ソープ（Ｓｏａｐ）、ナトリウム２−ベンジル−４−クロロフェネート、ナトリウムＮ−メチルジチオカルバメート、重硫酸ナトリウム、臭化ナトリウム、炭酸ナトリウム、塩素酸ナトリウム、塩化ナトリウム、亜塩素酸ナトリウム、ナトリウムジクロロ−ｓ−トリアジントリオン、ナトリウムジクロロイソシアヌレート二水和��、ナトリウムジメチルジチオカルバメート、ナトリウムドデシルベンゼンスルホネート、次亜塩素酸ナトリウム、メタケイ酸ナトリウム、ナトリウムｏ−フェニルフェネート、過ホウ酸ナトリウム一水和物、ナトリウムフェネート、ナトリウムテトラヒドロ−３，５−ジメチル−２Ｈ−１，３，５−チアジアジン−２−チオン、硫酸ストレプトマイシン、スルホン化オレイン酸ナトリウム塩、硫酸、テトラクロロイソフタロニトリル、テトラグリシンヒドロペルヨージド、テトラヒドロ−３，５−ジメチル−２Ｈ−１，３，５−チアジアジン−２−チオン、テトラキス（ヒドロキシメチル）ホスホニウムサルフェート（ＴＨＰＳ）、チレンジアミン４酢酸４ナトリウム、２−（４’−チアゾリル）ベンゾイミダゾール、２チオシアノメチルチオ）ベンゾチアゾール、チモール、３，５，７トリアザゾニアトリシクロ（３．３．１．１（上付き文字３，７）デカン、安息香酸トリブチルスズ、マレイン酸トリブチルスズ、トリクロロ−ｓ−トリアジントリオン、トリクロロメラミン、シス−Ｎ−トリクロロメチルチオ−４−シクロヘキセン−１，２−ジカルボキシミド、トリエタノールアミンドデシルベンゼンスルホネート、トリエチレングリコール、１，３，５−トリエチルヘキサヒドロ−ｓ−トリアジン、３−（トリメトキシシリル）プロピルジメチルオクタデシルアンモニウムクロリド、トリス（２−ヒドロキシエチル）アミン、（２−ヒドロキシエチル）エチレンジアミン３酢酸３ナトリウム、リン酸３ナトリウム、亜鉛、亜鉛２−ピリジンチオール−１−オキシド、亜鉛ジメチルジチオカルバメート、酸化亜鉛、並びにこれらの混合物。
【００８１】
好ましい抗微生物剤は、ｏ−フェニルフェノール、ブロモニトロプロパンジオール（ブロノポール）、トリス（ヒドロキシメチル）ニトロメタン、シリコーン第四級アンモニウム塩（オクタデシルアミノジメチルトリメトキシシリルプロピルアンモニウムクロリド）、銀ゼオライト、ベンゾイミダゾール、２−（４−チアゾリル）、ヒノキチオール、プロペンニトリル、トリクロサン（２，４，４’−トリクロロ− ２’ヒドロキシジフェニルエーテル、シクロプロピル−Ｎ’−（１，１−ジメチルエチル）−６−（メチルチオ）−１，３，５−トリアジン−２，４−ジアミン、酸化亜鉛、ベンゾイミダゾール、２−（４−チアゾリル）−２，６−ジメチル−１，３−ジオキサン−４−オール酢酸塩、１−アザ−３，７−ジオキサ−５−エチル−ビシクロ−（３，３，０）−オクタン、２−ブロモ−２−ニトロ−１，３−プロパンジオール、２−（ヒドロキシメチル）−２−ニトロ−１，３−プロパンジオール、プロパンジアミド、２，２−ジブロモ−２，４，４’−トリクロロ−２−ヒドロキシジフェニルエーテル、４，４’−ジクロロ−２−ヒドロキシジフェニルエーテル、テトラキス（ヒドロキシメチル）ホスホニウムサルフェート、及びこれらの混合物である。
【図面の簡単な説明】
【００８２】
【図１】非水性洗濯装置を図示。
【図２】非水性洗濯装置を更に図示。
【図１】
2007521408.tif 000004
【図２】
2007521408.tif 000005
【国際調査報告】
2007521408.tif 000006
2007521408.tif 000007
2007521408.tif 000008